(57)【要約】【要  約】【課  題】  扉体の前後両方向において立っている場所から後退することなく開閉できるスライド式開閉扉装置を実現すること。【解決手段】  開口部２に配設された扉体３が旋回しながら開口に沿って移動し開閉可能としたスライド式開閉扉装置である。開口部２の縦辺２１に沿う軸線Ｌの上下に、開口の前後両方向に旋回自在に配設された一対の支持アーム４、４１と、同支持アーム４、４１に回転自在に軸支され、開口部２の横辺２２に設けられたガイド手段に移動ガイドされ開閉軌跡を規定する被ガイド片を介して配設された扉体３とを備える。支持アーム４、４１に、扉体３を横幅の略中間位置において軸支させる。【選択図】図１
2006063514.tif 000002
【特許請求の範囲】
【請求項１】
開口部に配設された扉体が旋回しながら開口に沿って移動し開閉可能としたスライド式開閉扉装置であって、
前記開口部の縦辺に沿う軸線の上下に、開口の前後両方向に旋回自在に配設された一対の支持アームと、同支持アームに回転自在に軸支され、開口部の横辺に設けられたガイド手段に移動ガイドされ開閉軌跡を規定する被ガイド片を介して配設された扉体とを備え、前記支持アームに、前記扉体を横幅の略中間位置において軸支させて成ることを特徴とするスライド式開閉扉装置。
【請求項２】
前記扉体を、前記開口部の上横辺に配設されたガイドレールを走行するランナーに吊設した請求項１記載のスライド式開閉扉装置。
【請求項３】
前記支持アームを、前記扉体が押し開かれて前記ランナーがガイドレールの一端側から所定の位置まで移動したときに該扉体を閉鎖させるクローザーにて形成した請求項２記載のスライド式開閉扉装置。
【請求項４】
前記クローザーを、前記開口部の上側支持アームのみとした請求項３記載のスライド式開閉扉装置。
【発明の詳細な説明】
【技術分野】
【０００１】
本発明は、開口部に配設された扉体が旋回しながら開口に沿って移動し開閉されるスライド式開閉扉装置に関する。
【背景技術】
【０００２】
上記ようなスライド式開閉扉装置は、例えば車椅子に乗った、体を自由に動かすことが出来ない人でも、大型の開閉ドアの操作を可能とさせるために特に設置されるもので、従来から、開口上部にガイドレールを設け、該ガイドレールを移動するランナーには扉体を吊設し、開口部の一縦辺側上下には支持アームを旋回自在に軸支すると共に同支持アーム先端を扉体の上下端側に連結し、該支持アームが常に等しく旋回するように連動装置を設けて、大きくて比較的重い扉体であってもスムーズにスライド旋回して開口部を開閉させる対策を施したものがある（例えば、特許文献１参照。）。
【０００３】
上記構成においては、図５に示すように、連動装置として扉体１００内部に貫通して設けた貫通軸１０９に上下の支持アームの先端を連結するようにしてある。また、扉体１００が、開口部に向かって前方又は後方の一方側だけ開放（片開き）するだけである。したがって、さらに、開口部に向かって前後両方について反転して開放、すなわち扉体が、開口部に対し直角に交差する第１の全開姿勢と、これとは逆向きに直角に交差する第２の全開姿勢との両方に１８０度反転して開放（反転両開き）できるような工夫はされていない点を改善したスライド式開閉扉装置もある（例えば、特許文献２参照。）。
【０００４】
以下、前述した、図５による従来のスライド式開閉扉装置について説明する。図において、１００は扉体、１０１は枠体、１０２はガイドレール、１０３は吊車を示しており、該ガイドレール１０２は開口部にはめ込まれた門型枠体１０１の上桟１０４に取付けられ、吊車１０３はランナーに相当するもので、このガイドレール１０２の上レールに載って移動することが出来る。
【０００５】
扉体１００は吊車１０３に吊設されて移動するだけでなく、上支持アーム１０５と下支持アーム１０６の揺動に伴って旋回することが出来る。上支持アーム１０５及び下支持アーム１０６は枠体の縦桟１０７側に設けている軸１０８ａ、１０８ｂに軸支されて旋回することができ、上下支持アーム１０５、１０６の先端は扉体１００の上下端に連結している。そして上下支持アーム１０５、１０６の先端は扉体１００内を垂直に配置されている貫通軸１０９の上下端と連結している。すなわち、貫通軸１０９の上下端にアーム１０５、１０６が取付けられ、コ字状枠体を構成し、上下支持アーム１０５、１０６の基部が軸１０８ａ、１０８ｂにて軸支された状態にある。
【０００６】
上記の如く、貫通軸１０９の上下端に連結した上下支持アーム１０５、１０６は軸１０８ａ、１０８ｂが定まる限り揺動角は常に等しく、その結果、貫通軸１０９は常に垂直を保って揺動することが出来る。従って、扉体１００は上下支持アーム１０５、１０６の旋回に伴って、傾斜することなく旋回して開口部に配設された扉体が旋回しながら開口に沿って移動し、大きくて比較的重い扉体であって開閉できることとなる。
【特許文献１】特開平１１−１０１０５５号公報
【特許文献２】特開２００１−２８８９５３号公報
【発明の開示】
【発明が解決しようとする課題】
【０００７】
上述した従来のスライド式開閉扉装置では、扉体１００となるドアーパネルに貫通軸１０９を設けなければならないため、扉体１００の製作が面倒である。また、扉体１００が、開口部に向かって前方又は後方の一方側だけ開放（片開き）するだけであり、扉体１００が、開口部に向かって前方又は後方の一方側だけ片開きする場合には、その開放方向が例えば廊下から室内へ入室する方向とすると、入室するときは、扉体１００を押し開きながら開口部をそのまま素通りできるが、室内から廊下に出るときは、通常の蝶番で枢支された扉体と同様に、扉体１００の前に進んでそれを室内へ引きながら一旦後退して開かなければならないものであった。
【０００８】
本発明は、このような従来の構成が有していた問題を解決しようとするものであり、扉体の前後両方向において立っている場所から後退することなく開閉できるスライド式開閉扉装置を実現することを目的とするものである。
【課題を解決するための手段】
【０００９】
そして、本発明は上記目的を達成するために、開口部に配設された扉体が旋回しながら開口に沿って移動し開閉可能としたスライド式開閉扉装置であって、前記開口部の縦辺に沿う軸線の上下に、開口の前後両方向に旋回自在に配設された一対の支持アームと、同支持アームに回転自在に軸支され、開口部の横辺に設けられたガイド手段に移動ガイドされ開閉軌跡を規定する被ガイド片を介して配設された扉体とを備え、前記支持アームに、前記扉体を横幅の略中間位置において軸支させて成るものである。
【００１０】
また、第２の課題解決手段は、前記扉体を、前記開口部の上横辺に配設されたガイドレールを走行するランナーに吊設したものである。
【００１１】
また、第３の課題解決手段は、前記支持アームを、前記扉体が押し開かれて前記ランナーがガイドレールの一端側から所定の位置まで移動したときに該扉体を閉鎖させるクローザーにて形成したものである。
【００１２】
また、第４の課題解決手段は、前記クローザーを、前記開口部の上側支持アームのみとしたものである。
【００１３】
上記第１の課題解決手段による作用は次の通りである。すなわち、開口部の縦辺に沿う軸線の上下の、開口の前後両方向に旋回自在に配設された一対の支持アームに軸支され、且つ開口部の横辺に設けられたガイド手段に移動ガイドされる扉体が、横幅の略中間位置にある被ガイド片を介してその開閉軌跡が規定される。その結果、開口の略中間位置において開口部に配設された扉体を回転させることができるため、扉体の前後両方向それぞれにおいて扉体を旋回しながら開口に沿って回転移動させて押し開くことができる。
【００１４】
また、第２の課題解決手段による作用は、ランナーを介して吊設された扉体が、開口部の上横辺に配設されたガイドレールを移動しながら回転されるため、扉体を容易に旋回させながら開口に沿って移動できるものとなる。
【００１５】
また、第３の課題解決手段による作用は、扉体が押し開かれてランナーがガイドレールの一端側から所定の位置まで走行したときに当該クローザーにて扉体が閉鎖されるため、さらに扉体を回転させて容易に押し開くことができるものとなる。
【００１６】
また、第４の課題解決手段による作用は、開口部の上側支持アームのみをクローザーとすることにて、簡単な構成にて扉体を回転させて容易に押し開くことができるものとなる。
【発明の効果】
【００１７】
上述したように本発明のスライド式開閉扉装置は、扉体の前後両方向それぞれにおいて開口の略中間位置において扉体を回転させて押し開くことができ、扉体の前後両方向において立っている場所から後退することなく開閉できるスライド式開閉扉装置を提供できる。
【００１８】
また、扉体が開口に沿って容易に旋回させながら移動されるため、扉体を容易に押し開くことができ使い勝手が良い。
【００１９】
また、扉体が押し開かれてランナーがガイドレールの一端側から所定の位置まで走行したときに当該クローザーにて扉体が閉鎖されるため、さらに扉体を容易に押し開くことができるという効果を発揮する。
【００２０】
また、開口部の上側支持アームのみをクローザーとすることにて、簡単な構成にて扉体を回転させて押し開くことができるという効果を発揮する。
【発明を実施するための最良の形態】
【００２１】
本発明の上記および他の効果、特徴および利点を明確にすべく、添付した図面を参照しながら、本発明の実施の形態を以下に詳述する。
【００２２】
図１〜４は、本願の請求項１乃至請求項３に対応した一実施形態であるスライド式開閉扉装置を示し、図１を参照すると、本発明の一実施形態を示すスライド式開閉扉装置の概略構成図が示されている。図２は、図１のスライド式開閉扉装置のクローザーの説明図、図３は、図１のスライド式開閉扉装置のガイドレールとランナーの斜視図及び側面図、図４は、図１のスライド式開閉扉装置の開閉動作の説明図が示されている。
【００２３】
この実施形態のスライド式開閉扉装置１は、背景技術の項において述べた、例えば車椅子に乗った、体を自由に動かすことが出来ない人でも、大型の開閉ドアの操作を可能とさせるために特に設置される、開口部に配設された扉体が旋回しながら開口に沿って移動し開閉可能としたものであり、開口部２の縦辺２１に沿う軸線Ｌの上下に、開口の前後両方向に旋回自在に配設された一対の支持アーム４と、同支持アーム４に回転自在に軸支され、開口部２の上横辺２２に設けられたガイドレール６を移動走行し開閉軌跡を規定するランナー５を介して吊設された扉体３とを備え、前記支持アーム４に、前記扉体３を横幅の略中間位置において軸支させて成る。
【００２４】
この場合、前記支持アーム４を、前記扉体３が押し開かれて前記ランナー５がガイドレール６の一端側から所定の位置まで走行されたときに該扉体３を閉鎖させるクローザー４１にて形成してもいる。また、前記クローザー４１を、前記開口部２の上側支持アームのみとしてもいる。
【００２５】
詳しくは、開口部２は、上横辺２２には、ガイド手段に相当する、後述する扉体３の移動ガイドをおこなガイドレール６が設けられ、該ガイドレール６と縦辺２１、２１による門型の枠体（図示せず）としてある。また、一方側の縦辺２１に沿う、軸線Ｌの上側に支持アームに相当するクローザー４１が、下側には支持アーム４が設けられて、扉体３を支持するようになっている。
【００２６】
扉体３は、建物内に設けられた開口部２の閉塞を目的とするもので、一枚の戸板上端の、戸板横幅の一方寄り位置に、被ガイド片に相当するランナー５を有して形成されている。この扉体３は、後述するクローザー４１と支持アーム４とで、戸板上下の戸板横幅の略中間位置において軸支され、さらに上記ランナー５を介して、ガイドレール６に走行自在、且つ旋回しながら開口に沿って移動し開閉可能に吊設される。なお、この扉体３は、押し開くようにて開戸された後、後述するクローザー４１の作用により自動的に閉戸するので、ドアノブやハンドル等の操作用の突起が無く、意匠的に好ましい。また、上記開口部２下面にガイド溝を設け、当該ガイド溝に係合する例えば突起状の被ガイド片を戸板下端に設けて、ランナー５以外にその被ガイド片とともにガイドレール６を走行する扉体３の開閉軌跡を規定することも、扉体３の安定動作上好ましい。
【００２７】
上記扉体３を軸支する上支持アームと下支持アームとは、この場合、クローザー４１及び支持アーム４にて構成され、それぞれの基端となる支持片４ａ、４ａが、開口部２の縦辺２１に沿う軸線Ｌの上下、すなわち開口部２の横辺２２、２２の一端側に固定され、クローザー４１及び支持アーム４がこの支持片４ａ、４ａに軸支されて開口の前後両方向に旋回される。上記扉体３は、その横幅の略中間位置においてクローザー４１及び支持アーム４の先端において回転自在に軸支され、ランナー５を介してガイドレール６に吊設される。
【００２８】
この場合、クローザー４１は、図２に示すように、扉体３を先端において軸支する支持軸４３の基端がコイルバネ４４のバネ力にて引き込まれる状態にて係止され、上記支持片４ａを有するケーシング４２に対して支持軸４３が出入り自在に配設され形成されている。したがって、扉体３が押し開かれて後述するランナー５がガイドレール６の一端側から所定の位置まで走行したときに、このクローザー４１内部のコイルバネ４４のバネ力にて扉体３が閉鎖されるものとなり、扉体３を回転させて容易に押し開くことができる。したがって、開口部２の上側支持アームのみをクローザー４１とすることにて、簡単な構成にて扉体３を回転させて容易に押し開くことができるものとなる。
【００２９】
ランナー５は、扉体３の横幅の略中間位置に吊軸５ａが固着され、当該位置において開口部２に扉体３を吊設させるもので、平面視略長方形形状の肉厚の金属プレートからなる走行台５１と、走行台５１の対向する両側にそれぞれ走行方向に二個ずつ並設された走行輪５２、５２と、走行台５１の略中央から垂下された吊軸５ａとで構成されて、扉体３に回転自在に固着されている。このランナー５は、開口部２の上横辺２２に設けられたガイドレール６を移動走行し、扉体３の開閉軌跡を規定する。
【００３０】
ガイドレール６は、下面が開口された断面略コ字状に形成され両方の下端縁から、上記走行輪５２、５２の走行する走行部６１、６１が、下面中央に走行溝６２を形成するよう内方に延設されており、開口部２の門型の枠体において上横辺２２を構成する。なお、このガイドレール６は、まずその横開口から上記ランナー５が挿入された後に開口部２に固定される。
【００３１】
以下、上記構成によるスライド式開閉扉装置１の動作を説明する。図４に示す設置状態において、例えば廊下Ａから室内Ｂへ入室する方向とすると、入室するときは、同図（ａ）に示すように開口部２の縦辺２１に沿う軸線の上下の、開口の前後両方向に旋回自在に配設された一対の支持アーム４、４１に軸支され、且つ開口部２の横辺に設けられたガイド手段に移動ガイドされる扉体３を押し開きながら開口部２をそのまま素通りでき、室内Ｂから廊下Ａに出る退室するときにも、同図（ｂ）に示すように当該扉体３を押し開きながら開口部２をそのまま素通りできる。
【００３２】
すなわち、横幅の略中間位置にある被ガイド片となるランナー５を介してその開閉軌跡が規定され、その結果、開口の略中間位置において開口部２に配設された扉体３を回転させることができるため、扉体３の前後両方向それぞれにおいて扉体３を旋回しながら開口に沿って回転移動させて押し開くことができて、通常の蝶番で枢支された扉体のときのように、扉体の前に進んでそれを室内へ引きながら一旦後退して開く必要が無いのである。
【００３３】
このとき、ランナー５を介して吊設された扉体３が、開口部２の上横辺２２に配設されたガイドレールを移動しながら回転されるため、扉体３を容易に旋回させながら開口に沿って移動でき、さらに、扉体３が押し開かれてランナー５がガイドレール６の一端側から所定の位置まで走行したときにクローザー４１にて扉体３が閉鎖されるため、さらに扉体３を回転させて容易に押し開くことができるものとなるのである。
【００３４】
したがって、以上説明したスライド式開閉扉装置１によると、扉体３の前後両方向それぞれにおいて開口の略中間位置において扉体３を回転させて押し開くことができ、扉体３の前後両方向において立っている場所から後退することなく開閉できるスライド式開閉扉装置１を提供できる。そして、扉体３が開口に沿って容易に旋回させながら移動されるため、扉体３を容易に押し開くことができ使い勝手が良い。
【００３５】
また、扉体３が押し開かれてランナー５がガイドレール６の一端側から所定の位置まで走行したときにクローザー４１にて扉体３が閉鎖されるため、さらに扉体３を容易に押し開くことができ、さらに、開口部２の上側支持アームのみをクローザー４１とすることにて、簡単な構成にて扉体３を回転させて押し開くことができるという効果を発揮する。
【図面の簡単な説明】
【００３６】
【図１】本発明の一実施形態を示すスライド式開閉扉装置の概略構成図
【図２】同スライド式開閉扉装置のクローザーの説明図
【図３】同スライド式開閉扉装置のガイドレールとランナーとを示し、（ａ）は斜視図、（ｂ）は側面図
【図４】同スライド式開閉扉装置の開閉動作の説明図
【図５】従来のスライド式開閉扉装置の概略構成図
【符号の説明】
【００３７】
１  スライド式開閉扉装置
２  開口部
２１  縦辺
２２  横辺
３  扉体
４  支持アーム
４１  クローザー
５  ランナー（被ガイド片）
６  ガイドレール（ガイド手段）
Ｌ  軸線
【図１】
2006063514.tif 000003
【図２】
2006063514.tif 000004
【図３】
2006063514.tif 000005
【図４】
2006063514.tif 000006
【図５】
2006063514.tif 000007